(57)【要約】【課題】従来の危険防止用の黄色に黒の寅模様の粘着ラベルでは剥がした離型紙の処理、またクッション性不足の問題、さらに暗い環境下でライトによる光線反射で表示模様が見えないこともあった。【解決手段】本発明は離型紙をなくし、高いクッション性を保ち、この光線反射を抑えて、広い視野範囲を得るために、離型剤加工に使う基材フィルム２に、光沢のないＨＤＰＥを使って、各種の反射材に見られる程の効果をあげ表示模様を見えやすくすることが出来、これにより、危険防止に役立てることが出来た。【選択図】図２
2019157101.tif 000002
【特許請求の範囲】
【請求項１】
セパレート層と印刷層、クッション層、粘着層を有し、熱ラミネートにより、多層化した粘着シートからなり、クッション性を持ち、更に暗い環境下における光線反射特性に優れたことを特徴とする危険防止の粘着テープ。
【発明の詳細な説明】
【技術分野】
【０００１】  本発明は、工事現場や天井の低い場所における安全性確保についての怪我防止の多層粘着シートであり、特に暗い環境下でも見易い危険防止を表示した粘着テープに関する。
【背景技術】
【０００２】  従来工事現場における足場の支柱や看板などには、怪我防止のための黄色と黒の矢印の表示テープなどが貼られているのが見受けられている。工事現場以外でも道路通行の安全向上・安全対策の目的で各種の反射材が開発されて利用されている。分類するとレンズ型やプリズム型があるが、これ以外にも黄色に蛍光色を使って朝方や薄暮時など視認性が低い時でも威力を発揮しているものもある。これらは、自転車やバイクの後方、ヘルメット、体に身に付けるなどで利用活用されている。【０００３】  リニア新幹線などの大型トンネル工事においては、通常の回転刃を持つ大型掘削機械で行われるが、これは能率の点では良いが、狭い山間地域に持ち込みにくく、従来工法に頼らざるを得ず、暗くて照明によるトンネル内部における反射特性の良い、危険防止表示の開発が待たれている。
【先行技術文献】
【特許文献】
【０００４】
【特許文献１】特開平６０６−６４１０４号公報
【特許文献２】特開平０９−１６４６３７号公報
【発明の概要】
【発明が解決しようとする課題】
【０００５】  従来から用いられているものとして、工事現場で見られる黄色と黒の矢印模様のマークがあるが、これでは、暗い環境の中では光の反射によってはマーク自体を視認できないことがある。さらにまた、工事現場における横に設けられた低い支柱を潜ろうとすると、頭や顔をぶっつけたりして、怪我をすることがある。この衝撃防止として、クッション性が求められてきた。【０００６】  これらの対応のほかに、このシートを支柱などに貼り付ける粘着層があると取り付ける際に便利である。粘着シートをロール状に巻いたとき粘着層があると、シートの反対面に離型層が必要になる。別体としてセパレート紙を設けるのが一般であるが、これでは剥がしたセパレート紙の処理が煩雑になる。ときにはこれを足で踏み滑って、大怪我をすることもある。
【課題を解決するための手段】
【０００７】  本願発明の危険防止の粘着テープは、セパレート層と印刷層、クッション層、粘着層を有し、熱ラミネートにより、多層化した粘着シートからなり、クッション性を持ち、更に暗い環境下のおける光線反射特性に優れたことを特徴とする危険防止の粘着テープである。
粘着シートでは、粘着の反対面に離型コート紙が使われるがこれをなくし、一体化し離型剤加工したセパレート層８を貼り合わせた。これにより離型コート紙を剥がす煩雑さをなくした。
暗い環境下において、照明ライトにより光がこのシートに当たったとき、見る角度によって反射光が鏡面に当たった時の様になり、反射して視認できないことになる。これをなくすために、反射を抑えて、より大きい視野範囲を得る事が出来ようにする。衝撃対策のクッション層６としては、架橋または未架橋のオレフィンの発泡体でよい。これらに印刷加工した印刷層を加えて熱ラミネート加工してから粘着剤を施す。
【発明の効果】
【０００８】    セパレート層８があることにより視野角度が広く取れ暗い環境下でのライトの光線によって反射されても正確に視認することが出来る。これは、反射と屈折の現象が各種の反射材に見られるレンズやプリズム効果に類似した現象が生じていると思われる。
【図面の簡単な説明】
【０００９】
【図１】本発明の粘着シートからなる粘着テープでセパレート層ありによる目視可能範囲が広い例を示す。視野角度の簡易な測定を示す図である。
【図２】本発明の粘着シートからなる粘着テープの各層の配置図である。
【図３】従来の粘着シートからなる粘着テープでセパレート層なしによる目視可能範囲が狭い例を示す。視野角度の簡易な測定を示す図である。
【発明を実施するための形態】
【００１０】  以下の性能評価には黄色と黒の斜めの寅模様のグラビア印刷を使用した。暗い環境下における光線反射の特性について試験した。セパレート層８の光線反射率の機器による測定結果を示す。
【表１】
2019157101.tif 000003
法線とは、曲面の接線に対し垂直な線。また、セパレート層８は非シリコーン系離型剤を用いた。この結果、入射光がそのまま反射する方法ではセパレート層８の有無に差はないが、法線に対し入射―反射の開き角度１２０°ではセパレート層ありが５％に対し、セパレート層なしは２８％反射する。
【００１１】  同様のサンプルでセパレート層の有無による視野角度の簡易な測定（図１、図３）
【表２】
2019157101.tif 000004
以上の結果から、セパレート層８があることにより視野角度が広く取れ暗い環境下でのライトの光線によって反射されても正確に視認する事が出来る。これは、反射と屈折の現象が各種の反射材に見られるレンズやプリズム効果に類似した現象が生じていると思われる。
【００１２】  この現象は、離型剤樹脂をコーティング加工する際に基材フィルムとして、光沢のないＨＤＰＥ（高密度ポリエチレン）を使ったときに、結果として得られる現象である。
セパレート層８と印刷層の接着に当たって、ＨＤＰＥと印刷インキ４では、通常この接着フィルム層３としてＥＶＡ（エチレン酢ビコポリマーフィルム）などが使われるが、ＶＡ５％、ＶＡ８％とも黄色インキには良いが、黒色インキは接着が良くない。表印刷のグラビア黒インキにはクラックや密着防止でワックスやオイルが添加されていてこれで接着強度を上げられない。これには剥離容易なイージーピールタイプのＣＭＰＳ（三井化学東セロ）がよい。
黒色にも良好な強度が得られる。
印刷基材５のＰＥ（ポリエチレン）とクッション性を有するクッション層６の架橋または未架橋ＰＥの接着には熱ラミネート加工が可能である。
【００１３】  この熱ラミネートの効果として、印刷基材５のＰＥとクッション層６の架橋または未架橋ＰＥの接着の他に、離型剤の乾燥を高め、高い性能を発揮するという効果もある。さらにセパレート層のＨＤＰＥは製膜時に両面コロナ処理が難しく、その後の印刷インキ４との接着には、通常の接着剤使用によるドライラミ加工が難しくこの点でも熱ラミネートが有利である。
【００１４】  離型剤加工の性能は以上の様に優れたものであるが、離型剤としての本実施例は、水性の非シリコーンＨＤ−５２３（高松油脂株式会社）を用いたが、これらにはフッ素、アルキッド、アクリル系などがある。非シリコーン系は、一般に塗工性に優れ、ハジキや塗工ムラがないこと、さらに水性のものもあり、有機溶剤を一切含んでいなことから多用されている。離型剤にはこれら非シリコーンの他にシリコーン系もあり優れた離形効果もある反面、裏移りし易く硬化させる必要もあり扱いが難しい。必要によりこれらを使用しても差しつかえない。このように製造をして得られる安全性向上の粘着シートである。
【００１５】本発明の各層および各材料の最良の組み合わせを以下に示す。もっとも重要な光線反射に関しては、セパレート層８の離型剤加工１とこの最適基材フィルム２の選定にある。
広い視野範囲を得るには、基材フィルムには光沢のないＨＤＰＥ２０μが良く、そのほか未延伸ＰＥＴ（ポリエステル）など光沢のないものがよい。これにより暗い環境下でのライトに対し、広い視野可能範囲が得られる。
【００１６】セパレート層８と印刷層９の接着には前掲の理由により、ドライラミが適さない。セパレート層８の基材フィルムのＨＤＰＥと印刷インキ黒色との接着には易開封性の弱接着の接着フィルムが良い。例えば、金属や塩ビ、スチロールにも接着可能にするために、ポリオレフィンに官能基を導入したりして、特殊改質したＣＭＰＳ００９やＣＭＰＳ０１１（三井化学東セロ）３０μが良い。印刷インキは通常のグラビアインキで印刷基材には延伸、未延伸のＰＥで良くＬ―ＬＤＰＥ２０μで良い。
【００１７】  クッション層６には、架橋または未架橋の発泡ＰＥや発泡スチレンで良く、架橋ＰＥの３０倍発泡２〜３ｍｍで良く、３ｍｍが良い。これまでの各層の接着には熱ラミネート加工で行い、更に粘着層を塗布するが、この粘着剤にはアクリル系の粘着剤が良く、ゴム系やブタジエン系では、耐光性、その他諸物性で劣る。このようにして、最適素材を選定し、多層化し粘着テープが作られる。
【産業上の利用可能性】
【００１８】  本願発明の粘着テープは、セパレート層８があることにより視野角度が広く取れ暗い環境下でのライトの光線によって反射されても正確に視認する事が出来る。これは、反射と屈折の現象が各種の反射材に見られるレンズやプリズム効果に類似した現象が生じていると思われる。従って、建築現場で使用する場合に、光反射が抑制され目視可能範囲が広がり目に優しく、産業上の利用可能性が大きい。
【符号の説明】
【００１９】    １  離型剤加工
２  基材フィルム
３  接着フィルム層
４  印刷インキ
５  印刷基材
６  クッション層
７  粘着層
８  セパレート層
９  印刷層
Ｔ  粘着テープ
【図１】
2019157101.tif 000005
【図２】
2019157101.tif 000006
【図３】
2019157101.tif 000007
【手続補正書】
【提出日】平成30年4月27日(2018.4.27)
【手続補正１】
【補正対象書類名】明細書
【補正対象項目名】０００４
【補正方法】変更
【補正の内容】
【０００４】
【特許文献１】特開平０６−６４１０４号公報
【特許文献２】特開平０９−１６４６３７号公報
【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
セパレート層、接着フィルム層、印刷インキと印刷基材からなる印刷層、クッション層、粘着層を備え、熱ラミネートにより前記印刷基材と前記クッション層とを多層化した粘着シートからなり、
前記セパレート層の基材フィルムに光沢のないフィルムを用い、光反射が抑制され目視可能範囲が広がることを特徴とする暗い環境下における危険防止の粘着テープ。